(57)【要約】【課題】多層の光ディスクであっても、記録状態を視覚的に把握することができる。【解決手段】光ディスク１０は、レーザ光により情報の書き込みが可能な記録型の複数の記録層を有する光ディスクであって、複数の記録層は、それぞれ、自らの記録層における記録状態を示す記録状態表示領域１０１−Ｎを備え、複数の記録層に備えられた記録状態表示領域１０１−Ｎは、それぞれ、光ディスク面上における位置が異なるように配置され、レーザ光が所定の記録方法により所定の記録状態表示領域１０１−Ｎに照射されると、所定の記録状態表示領域１０１−Ｎの光反射率は、レーザ光が所定の記録方法により照射されていない他の領域の光反射率と異なる。【選択図】図１
2011040118.tif 000002
【特許請求の範囲】
【請求項１】
レーザ光により情報の書き込みが可能な記録型の複数の記録層を有する光ディスクであって、
前記複数の記録層は、それぞれ、自らの記録層における記録状態を示す記録状態表示領域を備え、
前記複数の記録層に備えられた記録状態表示領域は、それぞれ、光ディスク面上における位置が異なるように配置され、
前記レーザ光が所定の記録方法により所定の前記記録状態表示領域に照射されると、前記所定の記録状態表示領域の光反射率は、前記レーザ光が前記所定の記録方法で照射されていない他の領域の光反射率と異なることを特徴とする光ディスク。
【請求項２】
レーザ光により情報の書き込みが可能な記録型の複数の記録層を有する光ディスクであって、
前記複数の記録層とは異なる別の１層または前記複数の記録層の所定の１層は、前記複数の記録層それぞれの記録状態を示す記録状態表示領域をそれぞれ備え、
前記記録状態表示領域は、それぞれ、光ディスク面上における位置が異なるように配置され、
前記レーザ光が所定の記録方法により所定の前記記録状態表示領域に照射されると、前記所定の記録状態表示領域の光反射率は、前記レーザ光が前記所定の記録方法で照射されていない他の領域の光反射率と異なることを特徴とする光ディスク。
【請求項３】
前記所定の記録方法は、ＤＣ記録であることを特徴とする請求項１又は２記載の光ディスク。
【請求項４】
それぞれの前記記録状態表示領域には、各記録層を識別可能な識別情報が予め刻印されていることを特徴とする請求項１乃至３のいずれか１項に記載の光ディスク。
【請求項５】
それぞれの前記記録状態表示領域は、光ディスク面上における位置に重複部分がないことを特徴とする請求項１乃至４のいずれか１項に記載の光ディスク。
【請求項６】
それぞれの前記記録状態表示領域は、光ディスク面上における位置に重複部分があることを特徴とする請求項１乃至４のいずれか１項に記載の光ディスク。
【請求項７】
それぞれの前記記録状態表示領域は、光ディスクの外周部または内周部に設けられていることを特徴とする請求項１乃至６のいずれか１項に記載の光ディスク。
【請求項８】
複数の記録層を有する光ディスクに情報を記録する情報記録装置であって、
装填された光ディスクが記録状態を表示可能な請求項１乃至７のいずれか１項に記載の光ディスクであるか否かを判別する判別手段と、
前記判別手段により、装填された前記光ディスクが前記記録状態を表示可能な光ディスクである場合であって、前記複数の記録層のうちの所定の記録層に対して情報を記録した場合には、前記所定の記録層の記録状態を示す前記記録状態表示領域に前記記録状態を示す情報を前記所定の記録方法で記録する記録手段と、
を備えることを特徴とする情報記録装置。
【発明の詳細な説明】
【技術分野】
【０００１】
本発明は、多層の記録層を有する光ディスクの記録状態を把握する技術に関する。
【背景技術】
【０００２】
従来、光ディスクを情報記録装置にセットすることなく、光ディスクに記録した記録容量を視覚的に把握できる技術が知られている（例えば、特許文献１、２）。この技術によれば、単層の光ディスクに関して、利用者は、光ディスクの外観を見るだけで光ディスクの未記録データ量を概略把握することが可能である。
【０００３】
ところで、光ディスクの記録容量を増加させる方法のひとつとして、記録層を複数にする多層化が挙げられる。例えば、ＤＶＤ（Digital Versatile Disc）やＢＤ（Blu-ray Disc）では、現在、２層の光ディスクが製品化されているが、記録密度を一層向上させるため、今後、さらに多くの層を有する光ディスクが開発され、製品化されることが予想される。
【先行技術文献】
【特許文献】
【０００４】
【特許文献１】特開２００１−６２２３号公報
【特許文献１】特開２００８−３４０１９号公報
【発明の概要】
【発明が解決しようとする課題】
【０００５】
上述したように、光ディスクの大容量化のニーズに応えるため、今後、多層の光ディスクが数多く市場に流通することが予想されるが、多層の光ディスクに関しては、現在の記録状態を光ディスクの外観から視覚的に把握することができない。すなわち、利用者は、多層の光ディスクに関しては、第何層までデータを記録したのか、あとどのくらい未記録部分が残っているかを光ディスクの外観から判断することはできない。
【０００６】
本発明は、上記の事情を鑑みてなされたものであり、その課題の一例としては、多層の光ディスクであっても、記録状態を視覚的に把握することができることにある。
【課題を解決するための手段】
【０００７】
上記の課題を達成するため、本発明の第１の態様は、レーザ光により情報の書き込みが可能な記録型の複数の記録層を有する光ディスクであって、前記複数の記録層は、それぞれ、自らの記録層における記録状態を示す記録状態表示領域を備え、前記複数の記録層に備えられた記録状態表示領域は、それぞれ、光ディスク面上における位置が異なるように配置され、前記レーザ光が所定の記録方法により所定の前記記録状態表示領域に照射されると、前記所定の記録状態表示領域の光反射率は、前記レーザ光が前記所定の記録方法で照射されていない他の領域の光反射率と異なるように構成される。
【０００８】
また、本発明の第２の態様は、レーザ光により情報の書き込みが可能な記録型の複数の記録層を有する光ディスクであって、前記複数の記録層とは異なる別の１層または前記複数の記録層の所定の１層は、前記複数の記録層それぞれの記録状態を示す記録状態表示領域をそれぞれ備え、前記記録状態表示領域は、それぞれ、光ディスク面上における位置が異なるように配置され、前記レーザ光が所定の記録方法により所定の前記記録状態表示領域に照射されると、前記所定の記録状態表示領域の光反射率は、前記レーザ光が前記所定の記録方法で照射されていない他の領域の光反射率と異なるように構成される。
【図面の簡単な説明】
【０００９】
【図１】本発明の実施の形態に係る光ディスクのデータ記録面を示す外観図である。
【図２】本発明の実施の形態に係る光ディスクのデータ記録面の視覚的な変化を示す外観図である。
【図３】本発明の実施の形態に係る光ディスクの記録層を模式的に示した概略図である。
【図４】本発明の実施の形態に係る光ディスクの変形例１の記録層を模式的に示した概略図である。
【図５】本発明の実施の形態に係る光ディスクの変形例２の記録層及び記録状態表示層を模式的に示した概略図である。
【図６】本発明の実施の形態に係る光ディスクの変形例３を説明するための模式図である。
【図７】本発明の実施の形態に係る光ディスクの変形例４の記録層及び記録状態表示層を模式的に示した概略図である。
【図８】本発明の実施の形態に係る光ディスクの変形例５の記録層及び記録状態表示層を模式的に示した概略図である。
【図９】本発明の実施の形態に係る光ディスクの変形例６及び変形例７のデータ記録面を示す外観図である。
【図１０】本発明の実施の形態に係る光ディスクの変形例８及び変形例９のデータ記録面を示す外観図である。
【図１１】本発明の実施の形態に係る光ディスク記録装置の概略構成図である。
【図１２】本発明の実施の形態に係る光ディスク記録装置のデータ記録処理の流れを示すフローチャートである。
【図１３】図１２のステップＳ２０の処理を詳しく示すフローチャートである。
【発明を実施するための形態】
【００１０】
以下、本発明の実施の形態を図面を用いて説明する。
【００１１】
＜光ディスク＞
本実施の形態に係る光ディスク１０は、レーザ光によってデータの書き込みが可能な記録型（追記型、書き換え型の双方を含む）の多層の光ディスクである。図１は、９層の記録層を有する光ディスク１０のデータ記録面を示す外観図である。図１（ａ）は、データを何も記録していない未記録状態、図１（ｂ）は、１層目の記録層（第１記録層ともいう）にデータを記録した状態、図１（ｃ）は、１層目の記録層（第１記録層）及び２層目の記録層（第２記録層ともいう）にデータを記録した状態を示している。
【００１２】
光ディスク１０は、各層の外周部、詳しくは、データ領域１００の外側のリードアウト領域に記録状態を識別するための識別領域１０１が形成されているとともに、各層の識別領域１０１には、いずれの記録層かを示す識別数字１０２が予め印字されている。なお、以下においては、第１記録層Ｌ０の識別領域を１０１−１、第２記録層Ｌ１の識別領域を１０１−２、…、第Ｎ記録層ＬＮ−１の識別領域を１０１−Ｎと表記し、識別領域全体を意図する場合には１０１と表記する。例えば、第１記録層Ｌ０の識別領域１０１−１には、識別数字１０２として、１層目であることを示す「１」、第２記録層Ｌ１の識別領域１０１−２には、識別数字１０２として、２層目であることを示す「２」が予め刻印されている。すなわち、ユーザは、未記録状態の光ディスク１０のデータ記録面を見ると、図１０（ａ）に示すように、識別領域１０１の境界線及び識別数字１０２を視認可能である。
【００１３】
ここで、各層の識別領域１０１−Ｎ（図１においては、Ｎ＝１〜９）は、それぞれ、データ記録面内（図１に示すＸＹ平面；データ記録面に平行な方向をＸＹ方向、記録層の積層方向をＺ方向とする）において、互いに位置が重なることなくずれて配置されている。
【００１４】
そして、後述する本実施の形態に係る情報記録装置１（例えば、ＢＤレコーダー、ＤＶＤレコーダーなど）により、光ディスク１０のいずれかの記録層に対してデータの記録が行われた場合には、データ記録が行われた記録層の識別領域１０１−Ｎに対して、特殊記録が行われるようになっている。本実施の形態においては、特殊記録は、一定パワーでレーザ光を出射し続けるＤＣ記録となっている。特殊記録が行われた領域（以下、特殊記録領域ともいう）は、他の領域（未記録領域及びデータが記録されたデータ記録領域）と比べて光反射率が顕著に異なるので（特殊記録領域は他の領域よりも光反射率が低い）、ユーザは、ＤＣ記録がされた識別領域１０１−Ｎの変化を視覚的に認識することができる。
【００１５】
また、本実施の形態の識別領域１０１−Ｎには、特殊記録の開始地点と特殊記録の終了地点に基準マーカ（プリピット）が形成されている。特殊記録を行う情報記録装置１は、この基準マーカに基づいて、識別領域１０１を認識し特殊記録を行う。勿論、他の方法により、特殊記録の開始地点と終了地点を把握可能としてもよい。例えば、ウォブル周波数や位相の変化、グルーブの有無などにより把握可能としてもよい。なお、本実施の形態においては、第Ｎ記録層のデータ領域１００のすべてに対してデータ記録が終了したときに、第Ｎ記録層の識別領域１０１−Ｎに対して特殊記録を行うようになっている。
【００１６】
例えば、図１（ｂ）は、第１記録層Ｌ０に対するデータ記録が終了し、識別領域１０１−１に対して特殊記録が行われた場合の光ディスク１０を示している。識別領域１０１−１は、他の識別領域１０１−Ｎ（Ｎ≠１）と光反射率が異なるので、ユーザは視覚的に目立つ識別領域１０１−１の識別数字１０２を見ることにより、光ディスク１０の１層目は記録が行われたことを目視で判断することができる。
【００１７】
また、図１（ｃ）は、第１記録層Ｌ０及び第２記録層Ｌ１のデータ記録が終了し、識別領域１０１−１及び１０１−２に対して特殊記録が行われた場合の光ディスク１０を示している。識別領域１０１−１及び１０１−２は、他の識別領域１０１−Ｎ（Ｎ≠１、２）と光反射率が異なるので、ユーザは視覚的に目立つ識別領域１０１−１及び１０１−２の識別数字１０２を見ることにより、光ディスク１０の１層目及び２層目は記録が行われたことを目視で判断することができる。
【００１８】
このように本実施形態の光ディスク１０においては、多層ディスクであっても、識別領域１０１が記録状態を示す領域となっているので、多層ディスクの第何層までデータ記録を行ったかを簡単に把握することができる。
【００１９】
次に、図２及び図３を用いて、各記録層に順次データを記録した場合の識別領域１０１の変化について具体的に説明する。ここで、図２は、４層の記録層を有する光ディスク１０のデータ記録面の視覚的な変化を示す外観図であり、図３は４層の記録層を模式的に示した概略図である。
【００２０】
まず、図３に示すように、レーザ光の照射側に最も近い第１記録層Ｌ０に対してデータ記録を開始し、第１記録層Ｌ０に対してデータ記録を終了した場合には、第１記録層Ｌ０の識別領域１０１−１に対して特殊記録が行われる。この場合には、光ディスク１０においては、外周部の右上領域である識別領域１０１−１が特殊記録領域となるので、この状態において光ディスク１０のデータ記録面を見ると、図２に示すように、１層目がデータ記録された状態であることを目視で判断することができる。
【００２１】
次に、図３に示すように、レーザ光の照射側から二番目に近い第２記録層Ｌ１に対してデータ記録を開始し、第２記録層Ｌ１に対してデータ記録を終了した場合には、第２記録層Ｌ１の識別領域１０１−２に対して特殊記録が行われる。この場合には、光ディスク１０においては、外周部の右下領域である識別領域１０１−２が加えて特殊記録領域となるので、この状態において光ディスク１０のデータ記録面を見ると、図２に示すように、１層目及び２層目がデータ記録された状態であることを目視で判断することができる。
【００２２】
次に、レーザ光の照射側から三番目に近い第３記録層Ｌ２に対してデータ記録を開始し、第３記録層Ｌ２に対してデータ記録を終了した場合には、第３記録層Ｌ２の識別領域１０１−３に対して特殊記録が行われる。この場合には、光ディスク１０においては、外周部の左下領域である識別領域１０１−３が加えて特殊記録領域となるので、この状態において光ディスク１０のデータ記録面を見ると、図２に示すように、１層目、２層目及び３層目がデータ記録された状態であることを目視で判断することができる。
【００２３】
次に、レーザ光の照射側から最も遠い第４記録層Ｌ３に対してデータ記録を開始し、第４記録層Ｌ３に対してデータ記録を終了すると、第４記録層Ｌ３の識別領域１０１−４に対して特殊記録が行われる。この場合には、光ディスク１０においては、外周部の左上領域である識別領域１０１−４が加えて特殊記録領域となるので、この状態で光ディスク１０のデータ記録面を見ると、図２に示すように、１層目、２層目、３層目及び４層目がデータ記録された状態であること、すなわち、すべての記録層がデータ記録された状態であることを目視で判断することができる。
【００２４】
このように本実施の形態においては、識別領域１０１−Ｎ（図２及び図３においては、Ｎ＝１〜４）は、データ記録面上における位置が異なるように配置されているので、いずれの記録層に対してデータ記録を行ったとしても、特殊記録領域の位置から記録状態を簡単に把握することができる。
【００２５】
図４は、光ディスク１０における４層の記録層を模式的に示した概略図であり、特殊記録領域の形成に関する変形例（変形例１）を示している。
【００２６】
変形例１の場合には、第１記録層Ｌ０に対してデータ記録を終了した場合には、識別領域１０１−１Ａ（図３における識別領域１０１−１と同じ領域）、第２記録層Ｌ１に対してデータ記録を終了した場合には、識別領域１０１−２Ａ（図３の識別領域１０１−１とデータ記録面上における位置が同じである領域と、識別領域１０１−２を合わせた領域）、第３記録層Ｌ２に対してデータ記録を終了した場合には、識別領域１０１−３Ａ（図３の識別領域１０１−１及び１０１−２とデータ記録面上における位置が同じである領域と、識別領域１０１−３を合わせた領域）、第４記録層Ｌ３に対してデータ記録を終了した場合には、識別領域１０１−４Ａ（図３の識別領域１０１−１、１０１−２及び１０１−３とデータ記録面上における位置が同じである領域と、識別領域１０１−４を合わせた領域）が特殊記録領域となる。
【００２７】
変形例１によれば、データ記録面上における識別領域の位置が、記録層ごとに異なるとともに重なるように配置されているので、いずれの記録層に対してデータ記録を行ったとしても、特殊記録領域の位置から記録状態を簡単に把握することができる。特に、本変形例では、データ記録面上において特殊記録領域の重なりが存在するので、識別数字１０２が刻印された近傍の特殊記録領域に対しては、それぞれの視認状態が異なることとなる。
【００２８】
具体的には、４つの記録層すべてに対してデータが記録され、識別領域１０１−１Ａ、識別領域１０１−２Ａ、識別領域１０１−３Ａ、識別領域１０１−４Ａのすべてが特殊記録領域となった場合には、特殊記録領域の中で、識別数字１０２として「１」が刻印された領域（図３に示す識別領域１０１−１；この領域はＺ方向に特殊記録領域が４層重なっている）の光反射率が最も低く、次いで、識別数字１０２として「２」が刻印された領域（図３に示す識別領域１０１−２；この領域はＺ方向に特殊記録領域が３層重なっている）、次いで、識別数字１０２として「３」が刻印された領域（図３に示す識別領域１０１−３；この領域はＺ方向に特殊記録領域が２層重なっている）、次いで、識別数字１０２として「４」が刻印された領域（図３に示す識別領域１０１−４；この領域はＺ方向に特殊記録領域の重なりはない）の順に光反射率が高くなっているので、それぞれの領域の見え方に差異が生じる。
【００２９】
したがって、変形例１の場合には、識別数字１０２近傍の領域における視認態様の差異からも、いずれの記録層にデータが記録されたかを把握することが可能である。
【００３０】
図５は、光ディスク１０における４層の記録層を模式的に示した概略図であり、データ記録面上における識別領域の位置が、記録層ごとに異なるとともに重なるように配置されている別の変形例（変形例２）の場合を示している。
【００３１】
変形例２の場合には、第１記録層Ｌ０に対してデータ記録を終了した場合には、識別領域１０１−１Ｂ（図３の識別領域１０１−１を除いた外周部領域）、第２記録層Ｌ１に対してデータ記録を終了した場合には、識別領域１０１−２Ｂ（図３の識別領域１０１−２を除いた外周部領域）、第３記録層Ｌ２に対してデータ記録を終了した場合には、識別領域１０１−３Ｂ（図３の識別領域１０１−３を除いた外周部領域）、第４記録層Ｌ３に対してデータ記録を終了した場合には、識別領域１０１−４Ｂ（図３の識別領域１０１−４を除いた外周部領域）が特殊記録領域となる。
【００３２】
このように、図３に示す識別領域１０１−Ｎ（Ｎ＝１〜４）を除く外周部領域を特殊記録領域として設定して、識別数字１０２が刻印された領域の視認状態を異ならせるようにしてもよい。
【００３３】
また、変形例１の場合には、データ記録を行った記録層の識別領域１０１−ＮＡ（Ｎ＝１〜４）を特殊記録領域として形成したが、これに加えて、他の記録層の外周部領域を特殊記録領域として形成してもよい。図６は、このような変形例（変形例３）を説明するための模式図である。
【００３４】
変形例３の場合には、第１記録層Ｌ０に対してデータ記録を終了した場合には、第１記録層Ｌ０の識別領域１０１−１Ａを特殊記録領域とする。次いで、第２記録層Ｌ１に対してデータ記録を終了した場合には、第２記録層Ｌ１の識別領域１０１−２Ａと、第１記録層Ｌ０の識別領域１０１−２を特殊記録領域とする。次いで、第３記録層Ｌ２に対してデータ記録を終了した場合には、第３記録層Ｌ２の識別領域１０１−３Ａと、第１記録層Ｌ０の識別領域１０１−３及び第２記録層Ｌ１の識別領域１０１−３を特殊記録領域とする。次いで、第４記録層Ｌ３に対してデータ記録を終了した場合には、第４記録層Ｌ３の識別領域１０１−４Ａと、第１記録層Ｌ０の識別領域１０１−４、第２記録層Ｌ１の識別領域１０１−４及び第３記録層Ｌ２の識別領域１０１−４を特殊記録領域とする。
【００３５】
すなわち、所定の記録層に対してデータ記録を終了した場合には、所定の記録層にある識別領域１０１−ＮＡ（Ｎ＝１〜４）に特殊記録を行うとともに、既に特殊記録が行われた記録層に対しても、データ記録面内において識別領域１０１−ＮＡと同一の領域が特殊記録領域となるように再度、特殊記録を行うようにして、特殊記録領域と他の領域の光反射率の差をさらに明確にしてもよい。
【００３６】
図７は、光ディスク１０Ａの４層の記録層及び記録状態表示層を模式的に示した概略図であり、特殊記録領域の形成に関する変形例（変形例４）を示している。
【００３７】
光ディスク１０Ａは、光ディスク１０と異なり、４つの記録層のほか、記録状態表示層ＬＸを備えている。記録状態表示層ＬＸは、外周部に各記録層の記録状態を表示する識別領域１０１−１〜４を備えている。なお、識別領域１０１−１〜４は、本実施の形態と同様に、データ記録面内において、互いに位置が重なることなくずれて配置されている。
【００３８】
変形例４の場合には、第１記録層Ｌ０に対してデータ記録を終了した場合には、記録状態表示層ＬＸの識別領域１０１−１に対して特殊記録が行われ、記録状態表示層ＬＸの識別領域１０１−１が特殊記録領域となる。同様にして、第２記録層Ｌ１に対してデータ記録を終了した場合には、記録状態表示層ＬＸの識別領域１０１−２、第３記録層Ｌ２に対してデータ記録を終了した場合には、記録状態表示層ＬＸの識別領域１０１−３、第４記録層Ｌ３に対してデータ記録を終了した場合には、記録状態表示層ＬＸの識別領域１０１−４が、それぞれ特殊記録領域となる。
【００３９】
変形例４によれば、特殊記録領域を各記録層とは異なる層に識別領域１０１を設け、この識別領域１０１が記録状態を示すことになるので、本実施の形態と同様に、多層ディスクであってもいずれの記録層に対してデータ記録を行ったかを目視で判断することができる。
【００４０】
なお、変形例４においては、記録状態表示層ＬＸに識別領域１０１（識別領域１０１−１〜４）を設けたが、第１記録層Ｌ０〜第４記録層Ｌ３のいずれか１層の外周部に識別領域１０１（識別領域１０１−１〜４）を設けてもよい。この場合にも、本変形例４と同様の効果を奏することができる。
【００４１】
また、記録状態表示層ＬＸの外周部だけでなく、記録状態表示層ＬＸの全体を識別領域１０１（識別領域１０１−１〜４）とするとともに、各記録層でデータ記録された記録容量に応じて、特殊記録領域の大きさを決めるようにしてもよい。図８は、このような場合の光ディスク１０Ａの４層の記録層及び記録状態表示層を模式的に示した概略図であり、特殊記録領域の形成に関する変形例（変形例５）を示している。
【００４２】
変形例５の場合には、図８に示すように、記録済みのデータ量が増加するに従って、特殊記録領域が記録状態表示層ＬＸの中心から外縁に向かって徐々に大きくなっていく。図８に示す記録状態表示層ＬＸにおいては、特殊記録された識別領域１０１−１Ｃ＞特殊記録された識別領域１０１−２Ｃ＞特殊記録された識別領域１０１−３Ｃとなっているので、第１記録層Ｌ０の記録済みのデータ量＞第２記録層Ｌ１の記録済みのデータ量＞第３記録層Ｌ２の記録済みのデータ量となっている。
【００４３】
図９（ａ）は、識別数字１０２を有しない光ディスク１０Ｂのデータ記録面を示す外観図である（変形例６）。
【００４４】
変形例６の光ディスク１０Ｂによれば、特殊記録領域の数を数えることにより、データ記録した記録層の数を把握することができる。なお、これに加えて、変形例１の特殊記録領域の形成方法を採用した場合には、識別数字１０２がなくても、視認状態の差異に基づいて、データ記録した記録層を把握することができる。
【００４５】
図９（ｂ）は、識別数字１０２とともに識別文字１０３を有する光ディスク１０Ｃのデータ記録面を示す外観図である（変形例７）。識別文字１０３は、例えば、コンテンツのジャンル名（スポーツ、ドラマ、ニュースなど）等を示すようにしてもよい。すなわち、所定の記録層に対してデータ記録が終了した場合には、所定の記録層の識別領域１０１−Ｎ（Ｎ＝１〜４）に特殊記録をすることにより、識別文字１０３を形成するようにしてもよい。
【００４６】
変形例７の光ディスク１０Ｃによれば、識別数字１０２とともに、識別文字１０３を表示するので、ユーザは多層の光ディスク１０Ｂのいずれの記録層をいずれの内容のコンテンツが記録されたかを把握することができる。なお、識別文字１０３はジャンル名以外でもよく、例えば、書き換え型の光ディスク１０Ｃの場合には、データ記録の都度、データ記録した記録層の残り記録時間を識別文字１０３として形成するようにしてもよい。
【００４７】
なお、本実施の形態及び変形例においては、光ディスクの各層の外周部に識別領域１０１を設けるようにしたが、これに限定されるものではなく、各層の内周部（例えば、リードイン領域など）に識別領域１０１を設けるようにしてもよい。また、本実施形態においては、データ領域以外の領域に識別領域１０１を設けたが、データ領域の所定の一部に識別領域１０１を設けるようにしてもよい。
【００４８】
図１０（ａ）は、８層の記録層を有する光ディスク１０Ｄのデータ記録面を示す外観図であり、各層の内周部に識別領域１０１を設けた場合を示している（変形例８）。図１０（ａ）に示す光ディスク１０Ｄは、第１記録層Ｌ０及び第２記録層Ｌ１にデータが記録されていることを示している。このように識別領域は、必ずしも外周部（例えば、リードアウト領域）に限定されるものではなく、内周部（例えば、リードイン領域）に設けるようにしてもよい。
【００４９】
また、図１０（ｂ）は、８層の記録層を有する光ディスク１０Ｅのデータ記録面を示す外観図であり、各層の内周部と外周部の双方に識別領域１０１を設けた場合を示している（変形例９）。図１０（ｂ）に示す光ディスク１０Ｅの場合には、オポジット方式によりデータが記録される場合に好適である。オポジット方式の場合には、例えば、第１記録層において、データ記録面の内周から外周に向かってデータが記録されると、第２記録層においては、データ記録面の外周から内周に向かってデータが記録されるようになっているので、それぞれの記録層においてデータ記録が終了する位置近傍の識別領域１０１に対して特殊記録が行われると、光ピックアップの移動が少なくて済むからである。このような場合には、例えば、図１０（ｂ）に示すように、光ディスク１０Ｅは、第１記録層においては、外側の識別領域１０１−１Ｏ、第２記録層においては、外側の識別領域１０１−２Ｉ、第３記録層においては、外側の識別領域１０１−３Ｏが特殊記録領域となる。
【００５０】
なお、本実施の形態及び変形例１〜７で示したように、光ディスク１０（１０Ａ〜１０Ｃ）の各層の外周部に識別領域１０１を設けている場合には、パラレル方式によってデータが記録される場合に好適である。パラレル方式の場合には、いずれの記録層のデータ記録に対しても、内周から外周に向かってデータが記録されるからである。
【００５１】
また、識別領域１０１は、特殊記録の有無を視覚的に示す判断領域となっているが、これ以外の機能を備えてもよい。例えば、識別領域１０１が外周部に設けられている場合には、リードイン領域のコントロールデータゾーンに記録されている情報（ディスクの種類、記録密度、何層か、最大転送レートなど）、ＵＤＦ（Universal Disk Format）情報、アドレス情報（データ記録したところまでのアドレス）、ＯＰＣ（Optimun Power Control）を行うためのＰＣＡ（Power Calibration Area）領域、オートストラテジに関する情報などを識別領域１０１に保持するようにしてもよい。これにより、重要情報が分散配置されることになるので、光ディスク１０の内周部が棄損したとしても、光ディスク１０から重要情報を読み取ることができる。また、ＰＣＡ領域は、従来の試し書き領域として用いた後、特殊記録の有無を視覚的に示す判断領域としても活用できるので、同一領域を有効に活用することができる。
【００５２】
＜光ディスク記録装置＞
図１１は、本発明の実施の形態に係る情報記録装置１の概略構成を示す図である。情報記録装置１は、多層の光ディスク２に対して情報を記録したり、光ディスク２に記録された情報を再生したりすることが可能な光ディスク記録装置である。なお、本実施の形態における光ディスク２としては、記録型（追記型、書き換え型の双方を含む）のＢＤ（Blu-ray Disc）やＤＶＤ（Digital Versatile Disc）を好適な一例として挙げて説明するが、これに限定されるものではなく、記録型の光ディスクであれば何であってもよい。
【００５３】
また、光ディスク２は、上述した光ディスク１０を含んでいる。すなわち、情報記録装置１は、記録状態を表示可能な多層の光ディスク１０を記録再生可能な装置である。
【００５４】
情報記録再生装置１は、概略、図８に示すように、スピンドルモータ１１、光ピックアップ１２、信号増幅回路１３、サーボ回路１４、レーザ駆動回路１５、及び制御部１６を備えている。
【００５５】
スピンドルモータ１１は、光ディスク２を所定の回転数で回転させるモータである。
【００５６】
光ピックアップ１２は、光ディスク２にレーザ光を照射することによってデータを光ディスク２に記録するとともに、レーザ光の反射光を受け取ることによって光ディスク２に記録されたデータを読み取るようになっている。また、レーザ光の反射光に対応するＲＦ信号を信号増幅回路１３に出力するようになっている。具体的には、光ピックアップ１２は、半導体レーザ１７及び光検出器１８を備え、レーザ光を光ディスク２上に収束させることにより、光ディスク２に対するデータの書き出し／読み取りを行うようになっている。なお、光ピックアップ１２は、図示しないが、光ディスク２に対するレーザ光の照射状態を調整するための対物レンズアクチュエータと、半導体レーザ１７から出射されたレーザ光を対物レンズに導き、かつ、光ディスク２からの反射光を光検出器１８に導くための光学系を備えている。
【００５７】
信号増幅回路１３は、光ピックアップ１２の光検出器１８から出力されたＲＦ信号を増幅及び演算処理して、各種信号（ウォブル信号、トラックエラー信号、及びフォーカスエラー信号）を生成し、サーボ回路１４に出力するようになっている。
【００５８】
サーボ回路１４は、信号増幅回路１３から入力された各種信号に基づいて、光ピックアップ１２及びスピンドルモータ１１の駆動を制御するようになっている。具体的には、サーボ回路１４は、信号増幅回路１３から入力されたフォーカスエラー信号及びトラッキングエラー信号からフォーカスサーボ信号及びトラッキングサーボ信号を生成し、光ピックアップ１２の対物レンズアクチュエータに出力するようになっている。また、サーボ回路１４は、信号増幅回路１３から入力されたウォブル信号からモータサーボ信号を生成し、スピンドルモータ１１に出力するようになっている。
【００５９】
レーザ駆動回路１５は、光ディスク２のデータ記録、消去及び再生に応じたレーザ光駆動信号を生成するようになっている。具体的には、データ記録時には、記録信号に応じた駆動信号を半導体レーザ１７に出力し、データ再生時には、一定強度のレーザ光を出射するための駆動信号を半導体レーザ１７に出力するようになっている。また、本実施の形態では、これに加えて、特殊記録を行うための駆動信号を半導体レーザ１７に出力するようになっている。
【００６０】
制御部１６は、情報記録装置１全体を制御するようになっている。具体的には、制御部１６は、ＣＰＵ、メモリ（ＲＯＭ、ＲＡＭ）などから構成され、メモリに各種データ及びプログラムを格納するとともに、予め設定されたプログラムに従って、情報記録装置１の各部を制御するようになっている。本実施の形態においては、制御部１６は、装着された光ディスク２が記録状態を表示可能な光ディスク１０であるか否かを判別する光ディスク判別機能ｆ１、及び装着された光ディスク２が光ディスク１０の場合には、光ディスク１０の識別領域１０１に特殊記録領域を形成する記録状態表示機能ｆ２を具備している。
【００６１】
次に、図１２及び図１３を参照して、情報記録装置１のデータ記録処理について説明する。ここで、図１２は、情報記録装置１のデータ記録処理を示すフローチャートであり、上述した制御部１６の光ディスク判別機能ｆ１及び記録状態表示機能ｆ２を含むフローチャートとなっている。また、図１３は、図１２のステップＳ２０の記録状態の表示を伴うデータ記録処理を詳しく示すフローチャートである。
【００６２】
情報記録装置１は、装着された光ディスク２が記録状態を表示可能な光ディスク１０であるか否かを判定する（ステップＳ１０）。具体的には、光ディスク２の所定領域（例えば、コントロールデータゾーン）に記録された情報を読み取って、光ディスク２が記録状態を表示可能な光ディスク１０であるか否かを判断する。装着された光ディスク２が光ディスク１０である場合には（ステップＳ１０：ＹＥＳ）、情報記録装置１は、記録状態の表示を伴うデータ記録処理を行い（ステップＳ２０）、装着された光ディスク２が光ディスク１０でない場合には（ステップＳ１０：ＮＯ）、情報記録装置１は、通常のデータ記録処理を行う（ステップＳ３０）。
【００６３】
ここで、図１３を用いて、記録状態の表示を伴うデータ記録処理について説明する。例えば、第Ｎ記録層に対してデータ記録をする場合には、第Ｎ記録層のデータ領域にデータ記録を行い（ステップＳ２１）、データ記録が終了したときには（ステップＳ２２）、第Ｎ記録層の識別領域１０１−Ｎに対して特殊記録を行う（ステップＳ２３）。なお、識別領域１０１−Ｎのアドレス情報は、光ディスク１０の所定領域（例えば、コントロールデータゾーン）に記録されているので、情報記録装置１は、当該アドレス情報及び識別領域１０１−Ｎに形成されたプリピット情報に従って、識別領域１０１−Ｎの位置を認識し、特殊記録を行う。
【００６４】
なお、本実施の形態の記録状態の表示を伴うデータ記録処理においては、所定の記録層の全データ領域に対してデータが記録された場合に、対応する識別領域に対して特殊記録を行うようになっているが、特殊記録を行うタイミングはこれに限定されず、所定の記録層のデータ領域の一部に対してデータが記録された場合に特殊記録を行うようにしてもよい。
【００６５】
また、本実施の形態では、特殊記録としてＤＣ記録を採用しているが、特殊記録はＤＣ記録に限定されるものではない。すなわち、特殊記録領域の光反射率と他の領域（未記録領域）の光反射率に相違が生じ、目視でその相違を認識可能であるならば、いずれの記録方法でもよい。例えば、データ記録を行うときの駆動信号により特殊記録領域を形成してもよい。この場合、例えば、縞模様を形成するなどして特殊記録領域を視覚的に認識しやすくしてもよい。
【００６６】
また、本実施の形態では、各層の外周部において、識別領域１０１−Ｎは特殊記録領域として使用されたが、その他の領域は使用されていなかったので、この使用されなかった外周部の領域を、データを記録するデータ領域として確保してもよい。この場合には、光ディスク１の外周部の領域をさらに有効に活用することができる。
【００６７】
さらには、本実施の形態においては、情報記録装置１のレーザ光照射により、光ディスクに特殊記録領域を形成したが、これに限定されるものではない。例えば、ユーザが特殊なペン（例えば、塗ることにより光反射率が変化するマジックなど）を用いて光ディスクに特殊記録領域を形成するようにしてもよい。なお、レーザ光照射により形成された特殊記録領域をさらに強調するために、特殊記録領域に特殊なペンを用いて上書きを行うようにしてもよい。また、当該特殊なペンを用いて、所定の識別領域１０１−Ｎを特殊記録領域にした場合には、この特殊記録領域に特別な意味を持たせるようにしてもよい。例えば、当該特殊なペンで塗りつぶされた識別領域１０１−Ｎ（特殊記録領域）に対応する記録層に対しては、情報記録装置１がデータを記録／再生可能な記録層（あるいは記録／再生不可能な記録層）であると判断したり、データを消去不可能な記録層（あるいは消去可能な記録層）であると判断したりしてもよい。また、光反射率がそれぞれ異なる複数の特殊ペン（例えば、それぞれ色が異なる特殊ペン）で複数種類の特殊記録領域を形成した場合には、情報記録装置１は、光反射率が異なる特殊記録領域に対応する記録層ごとに、データ記録／再生の可否を判断してもよい。例えば、ユーザＡが記録／再生を指示する場合には、光反射率１で形成された特殊記録領域に対応した第１記録層のデータ記録／再生を可能とし（光反射率１と異なる光反射率で形成された特殊記録領域に対応した記録層にはデータ記録／再生は不可能）、ユーザＢが記録／再生を指示する場合には、光反射率２で形成された特殊記録領域に対応した第２記録層のデータ記録／再生を可能（光反射率２と異なる光反射率で形成された特殊記録領域に対応した記録層にはデータ記録／再生は不可能）であるようにしてもよい。
【００６８】
以上、述べたように、本実施の形態によれば、多層の光ディスクであっても、いずれの記録層が記録済みであるか、未記録の記録層がどれくらい残っているかなどの記録状態を目視で簡単に判断することができる。
【００６９】
例えば、本実施の形態の光ディスク１０、１０Ｂ、１０Ｃ、１０Ｄ及び１０Ｅは、レーザ光により情報の書き込みが可能な記録型の複数の記録層を有する光ディスクであって、複数の記録層は、それぞれ、自らの記録層における記録状態を示す記録状態表示領域（例えば、識別領域１０１−Ｎ）を備え、複数の記録層に備えられた記録状態表示領域は、それぞれ、光ディスク面上における位置が異なるように配置され、レーザ光が所定の記録方法（例えば、ＤＣ記録）により所定の記録状態表示領域に照射されると、所定の記録状態表示領域の光反射率は、レーザ光が所定の記録方法で照射されていない他の領域の光反射率と異なるので、多層の光ディスクであっても、各層の記録状態を視覚的に把握することができる。
【００７０】
また、本実施の形態の光ディスク１０Ａは、レーザ光により情報の書き込みが可能な記録型の複数の記録層を有する光ディスクであって、複数の記録層とは異なる別の１層（例えば、記録状態表示層ＬＸ）または複数の記録層の所定の１層は、複数の記録層それぞれの記録状態を示す記録状態表示領域（例えば、識別領域１０１−Ｎ）をそれぞれ備え、記録状態表示領域は、それぞれ、光ディスク面上における位置が異なるように配置され、レーザ光が所定の記録方法（例えば、ＤＣ記録）により所定の記録状態表示領域に照射されると、所定の記録状態表示領域の光反射率は、レーザ光が所定の記録方法で照射されていない他の領域の光反射率と異なるので、多層の光ディスクであっても、各層の記録状態を視覚的に把握することができる。
【００７１】
また、所定の記録方法をＤＣ記録とした場合には、レーザ光が照射された記録状態表示領域（例えば、特殊記録領域）の光反射率は、他の領域（未記録領域）の光反射率と顕著に異なるので、ユーザは目視で特殊記録領域と未記録領域の差異を明確に認識できる。
【００７２】
また、それぞれの記録状態表示領域には、各記録層を識別可能な識別情報（例えば、識別数字１０２）が予め刻印されているので、ユーザはさらに容易にデータが記録された記録層を視覚的に認識することができる。
【００７３】
なお、それぞれの記録状態表示領域は、光ディスク面上における位置に重複部分がなくてもよいし（例えば、図３の識別領域１０１−１〜４）、重複部分があってもよい（例えば、図４の識別領域１０１−１Ａ〜４Ａ）。重複部分がない場合には、識別情報を視認することにより、データが記録された記録層を目視で判断することができる。また、重複部分がある場合には、識別情報がなくても、それぞれの記録状態表示領域における光反射率の相違から、データが記録された記録層を目視で判断することができる。
【００７４】
また、それぞれの記録状態表示領域は、光ディスクの外周部または内周部に設けられている場合には、所定の記録層のデータ領域に対してデータが記録した後、所定の記録層の記録状態表示領域に対して迅速にレーザ光を照射することができる。
【００７５】
また、本実施の形態の情報記録装置１は、複数の記録層を有する光ディスク２に情報を記録する情報記録装置であって、装填された光ディスク２が記録状態を表示可能な光ディスク１０であるか否かを判別する判別手段（例えば、光ディスク判別機能ｆ１）と、判別手段により、装填された光ディスク２が記録状態を表示可能な光ディスク１０である場合であって、複数の記録層のうちの所定の記録層に対して情報を記録した場合には、所定の記録層の記録状態を示す記録状態表示領域（例えば、識別領域１０１−Ｎ）に記録状態を示す情報を所定の記録方法（例えば、ＤＣ記録）で記録する記録手段（例えば、記録状態表示機能ｆ２）と、を備えているので、多層の光ディスクであっても、各層の記録状態を視覚的に把握することができる。
【００７６】
以上、本発明の実施の形態及び実施例について説明してきたが、本発明は上述した実施の形態および変形例に限定されるものではなく、本発明の要旨を逸脱しない範囲において、本発明の実施の形態及び実施例に対して種々の変形や変更をして実施することが可能である。
【符号の説明】
【００７７】
１  情報記録装置
２，１０  光ディスク
１１  スピンドルモータ
１２  光ピックアップ
１３  信号増幅回路
１４  サーボ回路
１５  レーザ駆動回路
１６  制御部
１７  半導体レーザ
１８  光検出器
１００  データ領域
１０１  識別領域
１０２  識別数字
１０３  識別文字
ｆ１  光ディスク判別機能
ｆ２  記録状態表示機能
【図１１】
2011040118.tif 000003
【図１２】
2011040118.tif 000004
【図１３】
2011040118.tif 000005
【図１】
2011040118.tif 000006
【図２】
2011040118.tif 000007
【図３】
2011040118.tif 000008
【図４】
2011040118.tif 000009
【図５】
2011040118.tif 000010
【図６】
2011040118.tif 000011
【図７】
2011040118.tif 000012
【図８】
2011040118.tif 000013
【図９】
2011040118.tif 000014
【図１０】
2011040118.tif 000015